(57)【特許請求の範囲】
【請求項１】
親指が差し入れられる袋状の親指収容部と、親指を除く四指が一緒に差し入れられ手首まで覆う袋状の四指収容部とが設けられ、一端が手を差し込むための手首部として開口し、表面に防水加工又は撥水加工が施された生地で形成された外手袋と、
親指が差し入れられる袋状部分の親指収容部と、親指を除く四指が一緒に差し入れられる袋状部分であって、その側面の手の平側の部分に当該四指を出し入れ可能な開口部が設けられた四指収容部とが設けられ、一端が手を差し込むために開口し前記外手袋の内側に装着される内手袋とで構成され、
前記外手袋と前記内手袋とを重ねて手に装着した状態で、前記内手袋全体が前記外手袋に覆われ、前記内手袋の前記開口部から前記外手袋の内側に四指を出して作業可能なことを特徴とする防寒手袋。
【請求項２】
前記内手袋の親指収納部側面の手の平側の部分に、前記親指を出し入れ可能な開口部が設けられている請求項１記載の防寒手袋。
【請求項３】
前記外手袋の生地は、ナイロンとポリウレタンとの混紡繊維の織物又はポリエステル繊維の織物である表地と、疎水性ポリウレタンフィルムである中間層と、ナイロンとポリウレタンとの混紡繊維の織物又はポリエステル繊維の織物である裏地とで構成されている請求項１又は２記載の防寒手袋。
【発明の詳細な説明】
【技術分野】
【０００１】
この発明は、冬季の屋外や業務用の冷凍室のような寒冷環境で使用される防寒手袋に関する。
【背景技術】
【０００２】
従来から、防寒性が高く、いちいち手袋を外さなくても細かな作業が可能な巧緻性を実現すべく、様々な形態の防寒用の手袋が提案されている。例えば、特許文献１に開示されているように、指部を除く胴部に、５本の手指を出し入れできる開口部が設けられた手袋がある。この手袋は、通常は、手袋の指部内に指を収納して防寒性を確保しつつ、筆記具を持って手帳にメモするといった細かな作業をするときに、指を開口部から外に出すことによって作業しやすくしたものである。
【０００３】
また、特許文献２に開示されているように、五指を個別に収容する５つの指外皮を有する内手袋と、親指を収容する親指外皮及び親指を除く四指を入れる四指外皮を有する外手袋とで構成され、外手袋の四指外皮側面に開閉自在な突出開口が設けられ、内手袋を突出開口から外に出すことができる防寒用の手袋がある。この手袋は、通常は、突出開口を閉じて内手袋を外手袋内に収納して二重に防寒しつつ、細かな作業をするときに、突出開口を開けて内手袋を外に出し、指を覆う生地の１枚にすることによって作業がしやすくなる。
【先行技術文献】
【特許文献】
【０００４】
【特許文献１】実開昭６２−１１８１１９号公報
【特許文献２】実開平４−１３１６１２号公報
【発明の概要】
【発明が解決しようとする課題】
【０００５】
しかし、特許文献１の手袋は、細かい作業をするときに指が外に露出してしまうので、防寒性が維持されず、特に、手が濡れると凍傷になりやすいという危険性がある。
【０００６】
また、特許文献２の手袋は、細かい作業をするとき指が内手袋に覆われているので、ある程度の防寒性は確保されるものの、内手袋が防水性を有さない生地で形成されているため、手が濡れて凍傷になる危険性が残る。
【０００７】
この発明は、上記背景技術に鑑みて成されたもので、防寒性と巧緻性を両立させることができ、構成も簡単で安価に製造可能な防寒手袋を提供することを目的とする。
【課題を解決するための手段】
【０００８】
本発明は、親指が差し入れられる袋状の親指収容部と、親指を除く四指が一緒に差し入れられ手首まで覆う袋状の四指収容部とが設けられ、一端が手を差し込むための手首部として開口し、表面に防水加工又は撥水加工が施された生地で形成された外手袋と、親指が差し入れられる袋状部分の親指収容部と、親指を除く四指が一緒に差し入れられる袋状部分であって、その側面の手の平側の部分に当該四指を出し入れ可能な開口部が設けられた四指収容部とが設けられ、一端が手を差し込むために開口し前記外手袋の内側に装着される内手袋とで構成され、前記外手袋と前記内手袋とを重ねて手に装着した状態で、前記内手袋全体が前記外手袋に覆われ、前記内手袋の前記開口部から前記外手袋の内側に四指を出して作業可能な二重構造の防寒手袋である。
【０００９】
さらに、前記内手袋の親指収納部側面の手の平側の部分に、前記親指を出し入れ可能な開口部が設けられている。前記外手袋の生地は、厚みが２ｍｍ以下の伸縮性のあるストレッチ織物生地である。また、前記外手袋の生地は、ナイロンとポリウレタンとの混紡繊維の織物又はポリエステル繊維の織物である表地と、疎水性ポリウレタンフィルムである中間層と、ナイロンとポリウレタンとの混紡繊維の織物又はポリエステル繊維の織物である裏地とで構成されていてもよい。
【発明の効果】
【００１０】
本発明の防寒手袋は、通常は、手指を外手袋及び内手袋の生地で二重に覆うので、非常に暖かく、細かい作業をするときは、指を内手袋の開口部から外手袋の内側で外に出すことができ、外手袋の内側で自由に指を動かすことができる。これにより、所定時間内で終了する作業であれば、保温効果は十分に保持されて、指先を使う作業等を行うことができる。また、外手袋の生地が防水加工又は撥水加工され、内手袋全体を覆う構造なので、内手袋及びその中の手指などが濡れて凍傷になる心配もない。
【００１１】
また、内手袋の開口部から外に指を出して細かい作業を行うとき、指が外手袋の生地に覆われるが、生地の厚みが薄いので、例えば、筆記具を持ってメモを取るといった細かな作業でも、不都合や不快感をほとんど感じない。また、外手袋の生地として伸縮性のあるストレッチ織物生地を使用すれば、指の動作が妨げられにくくなり、より良好な巧緻性と使用感を得ることができる。
【図面の簡単な説明】
【００１２】
【図１】この発明の防寒手袋の一実施形態の使用状態を説明する正面図（ａ）と右側面図（ｂ）である。
【図２】この実施形態の防寒手袋を構成する外手袋の外観を示す正面図（ａ）と右側面図（ｂ）である。
【図３】この実施形態の防寒手袋を構成する外手袋の生地の断面図である。
【図４】この実施形態の防寒手袋を構成する内手袋の外観を示す正面図（ａ）と右側面図（ｂ）である。
【図５】この実施形態の防寒手袋の使用状態を説明する斜視図である。
【発明を実施するための形態】
【００１３】
以下、この発明の一実施形態の防寒手袋１０について、図面に基づいて説明する。防寒手袋１０は、冬季の屋外や業務用の冷凍室のような厳しい寒冷環境で使用される手袋であり、図１に示すように、外手袋１２と内手袋１４とで構成されたミトン型の二重手袋である。
【００１４】
外手袋１２は、図２に示すように、手の平部１６と手の甲部１８が対向して筒状体を成し、一端が手を差し込むための手首部２０として開口している。他の一端には、親指を除く四指が一緒に差し入れられる袋状の四指収容部２２が設けられ、手の平部１６の所定位置には、右手親指が差し入れられる袋状の親指収容部２４が設けられている。
【００１５】
外手袋１２の生地は、図３に示すように、表地１２ａ、中間層１２ｂ、裏地１２ｃの３層構造になっている。表地１２ａは、例えば、ナイロン（約８０％）及びポリウレタン（約２０％）の混紡繊維で成るストレッチ織物、又は、ポリエステル繊維で成るストレッチ織物が好適である。さらに、表地１２ａは、生地の目をつぶすように防水樹脂を塗り込んだり、あるいは防水樹脂液中に浸漬した後、加熱処理、加圧処理によって防水樹脂を定着させる等の方法で防水加工が施されている。なお、この防寒手袋１０を使用するとき、水の中に手を入れるような作業が想定されない場合は、防水加工に代えて、表地１２ａ表面にフッ素樹脂などを加熱して付着又は固着する等の撥水加工を施してもよい。
【００１６】
中間層１２ｂは、透湿性あるいは無透湿性の疎水性ポリウレタンフィルムであり、裏地１２ｃは表地１２ａと同様のストレッチ織物である。ただし、裏地１２ｃは、防水加工や撥水加工が施されていなくてもよい。
【００１７】
この外手袋１２の生地は、上記の３層の合計厚みが合計２ｍｍ以下、好ましくは１ｍ以下程度と非常に薄く、柔軟性があってごわごわしない。また、四指収容部２２は、四指をある程度開くことができるゆとりをもって構成されている。
【００１８】
内手袋１４は、図４に示すように、手の平部２６と手の甲部２８が対向して筒状体を成し、一端が手を差し込むための手首部３０として開口している。他の一端には、親指を除く四指が一緒に差し入れられる袋状の四指収容部３２が設けられ、手の平部２６の所定位置には、右手親指が差し入れられる袋状の親指収容部３４が設けられている。内手袋１４の外形は、外手袋１２とほぼ同様の形状であるが、外手袋１２の内側に入りやすいように、全体的に一まわり小さく形成されている。
【００１９】
さらに、内手袋１４は、四指収容部３２の側面の手の平部１６側に、収納された四指を出し入れすることができる開口部３６が形成されている。開口部３６は、四指の全てを出し入れ自在にするため、四指の関節部分を横切るスリット状に設けられている。同様に、親指収容部３４の側面の手の平部２６側に、親指を出し入れすることができる開口部３８が形成されている。開口部３８は、親指を出し入れ自在にするため、親指の関節部分を横切るスリット状に設けられている。また、開口部３６，３８は、図４に示すように、閉じた状態で各開口周縁の生地が互いに重なり合い開口部３６，３８を塞ぐような構造になっており、指の防寒性が保持されている。
【００２０】
内手袋１４の生地は、特に防水性は必要がなく、比較的安価な生地を使用することができる。例えば、保温効果があって柔かく手触りのよいフリース素材等、使用者の好みに合わせて自由に選択することができる。
【００２１】
次に、防寒手袋１０の使用方法について説明する。防寒手袋１０は、通常は、指が内手袋１４の四指収容部３２と親指収容部３４の中に収納され、その外側を外手袋１２で二重に覆うので、一般的な二重のミトン型手袋と同様の形態で使用され非常に暖かい。しかし、指が二重の厚い生地に覆われているので、このままでは細かい作業がしにくい。そこで、細かい作業をするとき、図１に示すように、指を内手袋１４の開口部３６，３８から外に出す。このとき、開口部３６，３８から出た指は外手袋１２に覆われているので、所定時間内で終了する作業であれば、保温効果は十分に保持されて暖かい。また、外手袋１４は、生地が防水加工又は撥水加工され、内手袋全体を覆う構造なので、内手袋及びその中の手指などが濡れて凍傷になる心配もない。
【００２２】
内手袋１２の開口部３６，３８から指を出すと、例えば図５に示すように、筆記具３８を持ってメモ帳４０にメモを取るといった細かな作業でも容易に行うことができる。指は外手袋１２の生地に覆われているが、外手袋１２の内部は指を自在に動かすだけのゆとりが確保され、外手袋１２の生地は薄くて柔らかいストレッチ織物生地が使用されているので、指の動作が妨げられず、筆記具３８を取り扱うときに良好な巧緻性と使用感を得ることができる。
【００２３】
なお、この発明は、上記実施形態に限定されるものではなく、例えば、内手袋の四指収容部に設けられる開口部の位置と大きさは、細かな作業の内容に鑑みて、四指の中の必要な指の部分だけに小さく設けてもよい。
【００２４】
また、外手袋と内手袋は独立して設けてもよいが、分離して片方が紛失等しないように、手首部その他部分で一体に縫い合わせられていてもよい。
【符号の説明】
【００２５】
１  四指
２  親指
１０  防寒手袋
１２  外手袋
１２ａ  表地
１２ｂ  中間層
１２ｃ  裏地
１４  内手袋
１６，２６  手の平部
１８，２８  手の甲部
２０，３０  手首部
２２，３２  四指収容部
２４，３４  親指収容部
３６，３８  開口部
【図１】
0005569961.tif 000002
【図２】
0005569961.tif 000003
【図３】
0005569961.tif 000004
【図４】
0005569961.tif 000005
【図５】
0005569961.tif 000006